(57)【要約】【課題】複数の商用電源入力を備えた画像形成装置の安全性を向上させる。【解決手段】複数のＡＣ入力部の個々に対応して電力供給される負荷と、複数のＡＣ入力接続部の何れかの一つと接続されるＡＣ開閉回路１２と、ＡＣ開閉回路１２に、ＡＣ開閉回路１２に接続されるＡＣ入力接続部と異なるＡＣ入力接続部から電力供給する回路と、ＡＣ開閉回路１２とは異なるＡＣ入力部の個々に対応して電力供給される負荷との接続を開閉するリレー７、８と、ＡＣ開閉回路１２と接続される主電源スイッチ１１と、ＡＣ開閉回路１２と接続される主電源スイッチ１１とを介して商用電源から電力供給される定電圧電源２５と、リレー７、８に定電圧電源手段（２５）からの電力供給する回路とを備えている。【選択図】        図１
2008164825.tif 000002
【特許請求の範囲】
【請求項１】
商用電源から電力供給される複数のＡＣ入力接続部を有する画像形成装置において、
前記複数のＡＣ入力接続部の個々に対応して電力供給される負荷と、
前記複数のＡＣ入力接続部の個々に対応した前記負荷との接続を開閉する第１および第２の開閉回路と、
を有し、
第１および第２の前記開閉回路は、それぞれ異なる前記ＡＣ入力接続部から電力を供給する回路を備えることを特徴とする画像形成装置。
【請求項２】
商用電源から電力供給される複数のＡＣ入力接続部を有する画像形成装置において、
前記複数のＡＣ入力接続部の個々に対応して電力供給される負荷と、
前記複数のＡＣ入力接続部の何れかの一つと接続される第１の開閉回路と、
前記第１の開閉回路に、当該第１の開閉回路に接続されるＡＣ入力接続部と異なるＡＣ入力接続部から電力を供給する回路と、
前記第１の開閉回路とは異なるＡＣ入力接続部の個々に対応して電力供給される前記負荷との接続を開閉する第２の開閉回路と、
前記第１の開閉回路と接続される主電源スイッチと、
前記第１の開閉回路と接続される前記主電源スイッチとを介して前記商用電源から電力供給される定電圧電源部と、
前記第２の開閉回路に前記定電圧電源部から電力を供給する回路と、
を備えることを特徴とする画像形成装置。
【請求項３】
商用電源から電力供給される複数のＡＣ入力接続部を有する画像形成装置において、
前記複数のＡＣ入力接続部の個々に対応して電力供給される負荷と、
前記複数のＡＣ入力接続部の何れかの一つと接続される第１の開閉回路と、
前記第１の開閉回路に、前記第１の開閉回路に接続されるＡＣ入力接続部と異なるＡＣ入力接続部から電力を供給する回路と、
前記第１の開閉回路とは異なるＡＣ入力部の個々に対応して電力供給される前記負荷との接続を開閉する第２の開閉回路と、
前記第１の開閉回路と接続される主電源スイッチと、
前記第１の開閉回路と接続される前記主電源スイッチを介して前記商用電源から電力供給される定電圧電源部と、
前記定電圧電源部より電力供給を受けている前記第２の開閉回路を制御する制御部と、
を備えることを特徴とする画像形成装置。
【請求項４】
前記第１の開閉回路を介して前記主電源スイッチを接続し、前記負荷に電力供給することを特徴とする請求項２または３に記載の画像形成装置。
【請求項５】
さらに、除湿ヒーターを備え、前記第１の開閉回路を介して前記除湿ヒーターに電力供給することを特徴とする請求項２、３または４に記載の画像形成装置。
【請求項６】
さらに、励磁コイルに通電されると開閉回路が開放されるリレーを有し、前記第１の開閉回路を介して前記リレーを接続し、前記リレーにより前記除湿ヒーターへの電力の供給を開閉することを特徴とする請求項５に記載の画像形成装置。
【請求項７】
前記電力を供給する回路は、商用電源をＤＣ化した電力とし、前記第１の開閉回路を制御することを特徴とする請求項１〜６の何れか一つに記載の画像形成装置。
【請求項８】
前記電力を供給する回路は、商用電源の電圧により生成される信号とし、前記第１の開閉回路を制御することを特徴とする請求項１〜６の何れか一つに記載の画像形成装置。
【請求項９】
商用電源から電力が供給される複数のＡＣ入力接続部を有する画像形成装置において、
ＡＣ電源入力を遮断するためのリセット機能付き開閉手段と、
前記リセット機能付き開閉手段からの電力供給を受けて動作が可能となる前記リセット機能付き開閉手段を開放する制御手段と、
前記複数のＡＣ入力接続部の個々がＡＣ電源に接続されていることを確認できる個々のＡＣ接続確認手段と、
を備え、
前記制御手段は、前記個々のＡＣ接続確認手段の何れかがＡＣ接続の検出をできないときは、前記リセット機能付き開閉手段を開放することを特徴とする画像形成装置。
【請求項１０】
前記ＡＣ接続確認手段をゼロクロス信号検出回路としたことを特徴とする請求項９に記載の画像形成装置
【請求項１１】
前記制御手段は、前記ゼロクロス信号が検出されないと、一定時間を計測するタイマー手段を有し、前記タイマー手段によるタイマー時間の計測後に、前記リセット機能付き開閉手段を開放することを特徴とする請求項１０に記載の画像形成装置。
【発明の詳細な説明】
【技術分野】
【０００１】
本発明は、複数のＡＣ電源コードまたは複数のＡＣ入力接続部を設けた複写機、プリンタ、またはそれらの機能を複合した画像形成装置に関するものである。
【背景技術】
【０００２】
近年、画像形成装置の高速化への要求が高まっている。この高機能化に伴う画像形成装置の大型化とともに電力消費量も増加している。特に、トナー画像が形成された紙、フィルムなどの被加熱体を加圧および加熱するヒートローラー方式の定着装置を有した画像形成装置の場合には多くの電力を必要とする。さらに、カラー化や高精度化の要素が加わると、高圧負荷，モータ負荷，電気回路負荷等が増大するので、電力消費がさらに増加する。周知のように、日本国内では最も一般的な商用１００Ｖ交流配線のコンセントからＡＣ入力を１本の電源コードでとる場合は、電流は１５Ａ以内に制限される。２００Ｖに対応させる方法もあるが、設置場所の電源関連に特別な工事を施す必要があり、装置の置き換えの弊害となる。この対応策として、電源コードを複数にして、１本の電源コードからの入力が１５Ａ以下になるようにした、画像形成装置も開発されている。このような画像形成装置の場合は、複数の商用電源から電力供給されていることにより、画像形成装置の動作を可能とする必要がある。このような問題、課題を解決するために、画像形成装置に関する従来の技術には、以下に示すような特許文献が開示されている。
【０００３】
特許文献１は、画像形成装置に第１電源コードと、第２電源コードの２本の電源コードを設け、この個々のＡＣ電源コードから電力供給される第１定着ヒーターと第２定着ヒーターを設け、第１電源コードから第２定着ヒーターに電力供給する第１リレーと、第２電源コードから第２定着ヒーターに電力供給する第２リレーを設け、画像形成装置の各動作モードにより、この２つのリレーのＯＮ／ＯＦＦを制御することにより、１本の電源コードからの入力が１５Ａ以下になるようにする構成としている。
【０００４】
この画像形成装置の場合には、第１電源コードと、この第１電源コードから電力供給される負荷との間にリレーを設け、このリレーは、第２電源コードから供給される電力により生成されるＤＣ電源回路の電力供給を受けて閉じられる。したがって、第２電源コードが商用電源に接続され、主電源ＳＷが投入されないと、第１電源コードから負荷に電力供給されないことが開示されている。
【０００５】
また、特許文献２には、画像形成装置に第１のＡＣ端子と、第２のＡＣ端子を設け、この第１のＡＣ端子からは、ドラムヒーター、カセットヒーターのＡＣ負荷に電力供給し、第２のＡＣ端子から定着ヒーターに電力供給する構成とすることにより、１本の電源コードからの入力が１５Ａ以下になるようにしている。この画像形成装置の場合には、サブ電源コードと、定着ヒーターとの間にＡＣリレーを設け、このＡＣリレーは、メイン電源コードから電力供給を受けて動作可能となる中央制御部により制御されることが開示されている。したがって、特許文献２の場合も、メイン電源コードが商用電源に接続され、メインスイッチが投入されないと、サブ電源コードから定着ヒーターに電力供給されない。
【０００６】
【特許文献１】特開２００３−３２３０８５号公報
【特許文献２】特開２００５−１２１６８１号公報
【発明の開示】
【発明が解決しようとする課題】
【０００７】
しかしながら、上記に示されるような特許文献１の場合には、第１電源コードが商用電源に接続されてない状態でも、ユーザが意識的に主電源ＳＷをＯＦＦしないかぎり、第２電源コードからの電力供給は継続される。また、第１電源コードが抜けたような場合にも、第２電源コードからの電力供給は継続される。
【０００８】
特許文献２の場合にも、同じようにサブ電源コードが商用電源に接続されてない状態でも、ユーザが意識的にメインスイッチ６をＯＦＦしないかぎり、メイン電源コードからの電力供給は継続される。また、サブ電源コードが抜けたような場合にも、メイン電源コードからの電力供給は継続される。
【０００９】
複数の商用電源から同時に電力供給を受けて動作するような装置の場合には、複数の全ての商用電源から電力供給された状態で正常動作するのが一般的である。したがって、一部の商用電源が非接続の状態でも、一部の部分に電力供給が継続されるのは、装置の安全上からも望ましくない。
【００１０】
本発明は、上記に鑑みてなされたものであって、複数の全ての商用電源が供給された状態において、画像形成装置に商用電源を供給し、何れかの商用電源が供給されない場合には、全ての商用電源の電力供給を遮断する構成とすることにより、画像形成装置の安全性の向上を図ることを目的とする。
【課題を解決するための手段】
【００１１】
上述した課題を解決し、目的を達成するために、請求項１にかかる発明は、商用電源から電力供給される複数のＡＣ入力接続部を有する画像形成装置において、前記複数のＡＣ入力接続部の個々に対応して電力供給される負荷と、前記複数のＡＣ入力接続部の個々に対応した前記負荷との接続を開閉する第１および第２の開閉回路と、を有し、第１および第２の前記開閉回路は、それぞれ異なる前記ＡＣ入力接続部から電力を供給する回路を備えることを特徴とする。
【００１２】
また、請求項２にかかる発明は、商用電源から電力供給される複数のＡＣ入力接続部を有する画像形成装置において、前記複数のＡＣ入力接続部の個々に対応して電力供給される負荷と、前記複数のＡＣ入力接続部の何れかの一つと接続される第１の開閉回路と、前記第１の開閉回路に、当該第１の開閉回路に接続されるＡＣ入力接続部と異なるＡＣ入力接続部から電力を供給する回路と、前記第１の開閉回路とは異なるＡＣ入力接続部の個々に対応して電力供給される前記負荷との接続を開閉する第２の開閉回路と、前記第１の開閉回路と接続される主電源スイッチと、前記第１の開閉回路と接続される前記主電源スイッチとを介して前記商用電源から電力供給される定電圧電源部と、前記第２の開閉回路に前記定電圧電源部から電力を供給する回路と、を備えることを特徴とする。
【００１３】
また、請求項３にかかる発明は、商用電源から電力供給される複数のＡＣ入力接続部を有する画像形成装置において、前記複数のＡＣ入力接続部の個々に対応して電力供給される負荷と、前記複数のＡＣ入力接続部の何れかの一つと接続される第１の開閉回路と、
前記第１の開閉回路に、前記第１の開閉回路に接続されるＡＣ入力接続部と異なるＡＣ入力接続部から電力を供給する回路と、前記第１の開閉回路とは異なるＡＣ入力部の個々に対応して電力供給される前記負荷との接続を開閉する第２の開閉回路と、前記第１の開閉回路と接続される主電源スイッチと、前記第１の開閉回路と接続される前記主電源スイッチを介して前記商用電源から電力供給される定電圧電源部と、前記定電圧電源部より電力供給を受けている前記第２の開閉回路を制御する制御部と、を備えることを特徴とする。
【００１４】
また、請求項４にかかる発明は、前記第１の開閉回路を介して前記主電源スイッチを接続し、前記負荷に電力供給することを特徴とする。
【００１５】
また、請求項５にかかる発明は、さらに、除湿ヒーターを備え、前記第１の開閉回路を介して前記除湿ヒーターに電力供給することを特徴とする。
【００１６】
また、請求項６にかかる発明は、さらに、励磁コイルに通電されると開閉回路が開放されるリレーを有し、前記第１の開閉回路を介して前記リレーを接続し、前記リレーにより前記除湿ヒーターへの電力の供給を開閉することを特徴とする。
【００１７】
また、請求項７にかかる発明は、前記電力を供給する回路は、商用電源をＤＣ化した電力とし、前記第１の開閉回路を制御することを特徴とする。
【００１８】
また、請求項８にかかる発明は、前記電力を供給する回路は、商用電源の電圧により生成される信号とし、前記第１の開閉回路を制御することを特徴とする。
【００１９】
また、請求項９にかかる発明は、商用電源から電力が供給される複数のＡＣ入力接続部を有する画像形成装置において、ＡＣ電源入力を遮断するためのリセット機能付き開閉手段と、前記リセット機能付き開閉手段からの電力供給を受けて動作が可能となる前記リセット機能付き開閉手段を開放する制御手段と、前記複数のＡＣ入力接続部の個々がＡＣ電源に接続されていることを確認できる個々のＡＣ接続確認手段と、を備え、前記制御手段は、前記個々のＡＣ接続確認手段の何れかがＡＣ接続の検出をできないときは、前記リセット機能付き開閉手段を開放することを特徴とする。
【００２０】
また、請求項１０にかかる発明は、前記ＡＣ接続確認手段をゼロクロス信号検出回路としたことを特徴とする。
【００２１】
また、請求項１１にかかる発明は、前記制御手段は、前記ゼロクロス信号が検出されないと、一定時間を計測するタイマー手段を有し、前記タイマー手段によるタイマー時間の計測後に、前記リセット機能付き開閉手段を開放することを特徴とする。
【発明の効果】
【００２２】
本発明にかかる画像形成装置は、複数の商用電源入力の全てが、商用電源に接続されたことを確認し、画像形成装置に商用電源を供給し、何れかの商用電源入力に商用電源が接続されてない場合には、全ての商用電源からの電力供給を遮断するので、画像形成装置の安全性を向上させることができるという効果を奏する。
【発明を実施するための最良の形態】
【００２３】
以下に添付図面を参照して、この発明にかかる画像形成装置の最良な実施の形態を詳細に説明する。
【００２４】
（実施の形態）
図１は、ＡＣ電源コードを２本有した画像形成装置のＡＣ電力制御回路図の実施の形態である。第１ＡＣ電源コード１の入力部（この入力を以下、ＡＣ入力１と記述する）と、第２ＡＣ電源コード２の入力部（この入力を以下、ＡＣ入力２と記述する）は、ＡＣ入力１とＡＣ入力２を接続する回路３により接続され一個のＡＣ入力となる場合と、分離され個々の第１ＡＣ電源コードの入力部、第２ＡＣ電源コードの入力部となる場合がある。
【００２５】
ＡＣ入力１とＡＣ入力２を接続する回路３により接続した場合は、第１ＡＣ電源コードは取り除くことが必要であるが、回路図をわかり易くするために、便宜的に記載している。第１ＡＣ電源コード１の出力はとＡＣ入力２を接続する回路３と、ノイズフィルター４に接続されている。このノイズフィルター４の出力はリレー７およびリレー８に接続され、このリレー７の開閉出力がサーモスタット１７を介して、定着装置の加熱中央ヒーター１８（図示せず）および加熱端部ヒーター１９（図示せず）に接続されている。一方、リレー８の開閉出力は、定着装置の加熱中央ヒーター１８および加熱端部ヒーター１９に電力供給を行う電力供給回路２２に接続されている。
【００２６】
この電力供給回路２２は、２個のフォトトライアック（図示せず）で構成され、制御部２６からの電力供給信号により、加熱中央ヒーター１８および加熱端部ヒーター１９に電力供給を行う。
【００２７】
サーモスタット１７は、バイメタル方式のサーモスタットで、定着装置（図示せず）内に設けられており、定着装置の定着ローラーが溶融する温度になると、サーモスタット内部のスイッチ部が開放される。なお、このサーモスタットは一度開放されると、温度が低下しても開放を保持するタイプのサーモスタットを採用している。
【００２８】
このサーモスタット１７は、加熱中央ヒーター１８および加熱端部ヒーター１９に直列に接続されているので、第１ＡＣ電源コード、ＡＣ入力１とＡＣ入力２を接続する回路３が接続されている場合は、第２ＡＣ電源コード２からの電力供給は、遮断される。
【００２９】
ノイズフィルター４の出力にゼロクロス検出回路３１が接続されており、このゼロクロス検出回路３１の出力により制御部２６は、第１ＡＣ電源入力部に商用電源の入力があること、または第１ＡＣ電源コードが接続されていることを確認する。
【００３０】
つぎに、第２ＡＣ電源コード２に接続される負荷について説明する。第２ＡＣ電源コード２の出力は、第１ＡＣ電源コード１から電力供給を受けて開閉されるＡＣ開閉回路１２を介して、主電源スイッチ１１と、ノイズフィルター５と、ノーマルクローズリレー１０およびＡＣ入力１とＡＣ入力２を接続する回路３に接続されている。
【００３１】
ノーマルクローズリレー１０の開閉回路出力は、除湿ヒーター２８に接続されている。このノーマルクローズリレー１０の励磁コイルには、定電圧電源２５から電力が供給されている。したがって、第１電源コード１が商用電源に接続された状態で主電源スイッチ１１がＯＦＦされている場合に、第２ＡＣ電源コード２より、この除湿ヒーター２８に電力が供給される。
【００３２】
ノイズフィルター５の出力は２連リレー９に接続され、その２連リレー９の一方の開閉出力が加圧ヒーター２１に接続され、もう一方が電力供給回路２３に接続されている。この電力供給回路２３は、フォトトライアック（図示せず）で構成され、制御部２６からの電力供給信号により、加圧ヒーター２８に電力供給を行う。
【００３３】
主電源スイッチ１１の出力側は、ノイズフィイルター６に接続され、このノイズフィルター６の出力が定電圧を生成する定電圧電源部２５に接続されている。この定電圧電源部２５は、画像形成装置全体を制御する制御部２６およびＤＣ負荷２７、前記したリレー１０、７，８、９等に電源を供給している。したがって、主電源スイッチ１１が投入され、定電圧電源３５が定電圧を生成すると、第２ＡＣ電源コードに接続された負荷も含め、正常に動作が可能となる。
【００３４】
なお、ノイズフィルター４、ノイズフィルター５、ノイズフィルター６は、この個々のノイズフィルターに接続される負荷の特性に合ったノイズ低減に適したノイズフィルターが選定されて設けられている。
【００３５】
この実施の形態の第１ＡＣ電源コードから電力供給される加熱中央ヒーターは７００Ｗ、加熱端部ヒーターは７００Ｗであるので、残りの６００Ｗが第２ＡＣ電源コードから供給可能となるが、この加熱中央ヒーター７００Ｗ、加熱端部ヒーター７００Ｗの合計１４００Ｗを全て使用することはしてない。画像形成装置の定着立ち上げモード時、コピー時、待機時等により、第１ＡＣ電源コードから電力供給される電力、第２ＡＣ電源コードから電力供給される電力を制御し、各ＡＣ電源コードの電流が１５Ａ以下であり、２本の電源コードの総電流が２０Ａを超えないように、制御部２６は制御している。
【００３６】
もちろん、ＡＣ入力１とＡＣ入力２を接続する回路３が接続されている場合にも、同様な動作を行うが、２００Ｖの商用電源に接続された場合など、電力的に余裕がある場合は、全ての定着ヒーターをフル点灯させ定着立ち上がり時間を早くするよう制御している。
【００３７】
つぎに、ＡＣ開閉回路１２の動作の詳細を、ＡＣ電源コードを２本有した画像形成装置のＡＣ電力制御回路の実施の形態の図２で説明する。第１電源コード１からのＡＣ入力１は、全波整流回路１２ａにより全波整流されコンデンサーＣ１により電圧は平滑される。この平滑された電圧が抵抗Ｒ１を介して両開閉回路を有したリレー１２ｂの励磁コイルに接続される。リレー１２ｂの励磁コイルには、ＡＣ入力１から電力が供給され、両開閉回路は閉じられる。第１電源コード１が商用電源に接続されてない場合には、リレー１２ｂの励磁コイルには、ＡＣ入力１から電力が供給されないので、両開閉回路は開放される。
【００３８】
図２の実施の形態の場合は、図１で説明した負荷への電力供給を開閉するリレー７，８，９を定着装置の保護回路および安全回路と兼用しているので、その動作説明をする。
【００３９】
リレー７、リレー８、リレー９の励磁コイルは、定着装置内部に設けられたサーモスタット１６およびこのサーモスタット１６と直列に接続された、ドアースイッチ１５を介して定電圧電源２５より供給される電力により通電される。
【００４０】
したがって、ドアースイッチが開放された場合、または定着部の温度上昇によりサーモスタット１６の内部スイッチが開放された場合は、加熱中央ヒーター１８、加熱端部ヒーター１９、加圧ヒーター２１への電力供給は停止される。主電源スイッチが投入されないと、リレー７、リレー８、リレー９を介して負荷に電力が供給されないのは、図１と同じである。
【００４１】
つぎに、自己保持型リセット機能付きスイッチ１３を利用したＡＣ開閉回路を設けた、実施の形態を図３および、図５に基づいて、図１および図２と異なる部分のみ説明する。
【００４２】
図３の第２ＡＣ電源コード２の出力は、ノイズフィルター５と、リセット機能付き主電源スイッチ１３、ノーマルクローズリレー１０およびＡＣ入力１とＡＣ入力２を接続する回路３に接続されている。ノーマルクローズリレー１０の開閉回路出力は、除湿ヒーター２８に接続されている。このノーマルクローズリレー１０の励磁コイルには、定電圧電源２５から電力が供給されている。したがって、リセット機能付き主電源スイッチ１３がＯＦＦされている場合に、第２ＡＣ電源コード２より、この除湿ヒーター２８に電力が供給される。
【００４３】
つぎに、図５に基づいて、リセット機能付き主電源スイッチ１３の詳細動作説明を行う。図５は、図３の一部の回路部分を詳細に記述したものである。したがって図３と同一の符号としている。
【００４４】
まず初めに、リセット機能付き主電源スイッチ１３の動作を説明する。リセット機能付き主電源スイッチ１３は、手動によりＯＮされると、マグネット（図示せず）によりＯＮ状態が保持される。手動により保持もできるが、励磁コイルに通電することによる反発によりＯＦＦすることもできる。制御部２６のＣＰＵ２６ａがゼロクロス検出回路３１からのゼロクロス信号を検出しない場合は、第１電源コード１が商用電源に接続されてないとして、ポート２６ｂよりリセット機能付き主電源スイッチ１３の励磁コイル１３ｂを通電する信号を出力する。リセット機能付き主電源スイッチ１３の開閉ＳＷ１３ａは開放され、第２電源コード２からの電力供給は停止される。
【００４５】
つぎに、ゼロクロス信号が検出されない場合に、リセット機能付き開閉ＳＷの励磁コイル１３ｂを励磁する詳細な説明を行う。
【００４６】
図８に、ゼロクロス信号の入力がないとタイマーにより時間が計測される回路構成を示す。本回路はＣＰＵ２６ａの内部タイマーの機能回路図を示したものである。タイマカウンタ７２は、内部クロックをカウントする。このカウンタはゼロクロス信号またはソフト的に内部コントロール回路に出すリセット指示信号によりリセットされる。したがって、ゼロクロス信号または、リセツト指示信号が発生するまでは、カウントは継続される。レジスタ７０は、ソフトにより書き込まれるレジスタであり、ゼロクロス信号の間隔以上の時間をカウントする値になる。本実施の形態の場合、ゼロクロス信号が２００回以上入力されないと、励磁コイル１３ｂを励磁する信号をポート２６ｂより出力する。
【００４７】
ゼロクロス信号が欠落し、タイマカウンタによりカウントが継続されて、予めレジスタに設定された値までカウントを行うと、比較回路７１が一致信号を発生する。この信号は内部のラッチ回路７５により、ラッチされ、ポートに出力される。ソフト的に内部コントロール回路にリセット信号の指示を行う。このリセット指示により、ラッチ回路７５およびタイマカウンタは初期化される。この一連の動作を、図１３のタイミングチャートに示す。
【００４８】
図４に、ゼロクロス信号を利用したＡＣ開閉回路の実施の形態を示す。主電源スイッチ１１が投入され、第１電源コード１から電力供給がされ、交流電圧が高くなると抵抗Ｒを通して、ホトダイオードに電流が流れホトトランジスタはＯＮする。電圧が低くなると、ホトダイオードの電流は低下し、ホトトランジスタはＯＦＦする。このゼロクロス信号をトリガーにして、トライアックはＯＮ動作を行い、ノイズフィルター６を介して負荷に電力が供給される。
【００４９】
図６は、第１ＡＣ電源コード１および第２ＡＣ電源コード２のＡＣ入力１とＡＣ入力２の両方にＡＣ開閉回路を設けた実施の形態である。第１ＡＣ電源コード１が商用電源に接続されると、ＡＣ入力１よりＡＣ開閉回路１２に電力が供給され、ＡＣ開閉回路１２は閉じられ、第２ＡＣ電源コード２が商用電源に接続されると、ＡＣ入力２よりＡＣ開閉回路３０に電力が供給され、ＡＣ開閉回路３０は閉じられる。
【００５０】
図７は、定電圧電源２５から電力供給されて開閉するリレー７、８、９を開閉回路３２、３３により開閉するようにした実施の形態図である。主電源スイッチ１１が投入されて、定電圧電源２５から電力供給された制御部２６が開閉回路３２と開閉回路３３にリレー７，８，９の励磁コイルを通電する信号を出力することにより、リレー７、８、９の開閉回路は閉じられる。
【００５１】
図１０は、電源コードを３本にした場合の実施の形態図である。第２ＡＣ電源コード２のＡＣ入力は、ＡＣ開閉回路１４とＡＣ開閉回路３６を有し、ＡＣ開閉回路１４は第３ＡＣ電源コード３５からの電力供給により開閉動作を行い、ＡＣ開閉回路３６は、第１ＡＣ電源コード１からの電力供給により開閉動作を行う。第１ＡＣ電源コード１および第３ＡＣ電源コード３５からの負荷への電力供給は、定電圧電源２５から供給される電力により開閉するリレー、７，８，９を介して行われる。
【００５２】
図９にゼロクロス信号発生回路図を示す。このゼロクス信号発生回路は、フォトカプラを使用する。交流電圧が高くなると抵抗Ｒを通して、ホトダイオードに電流が流れホトトランジスタＱ７はＯＮする。電圧が低くなると、ホトダイオードの電流は低下し、ホトトランジスタＱ７はＯＦＦする。この出力波形を図１２に示す。図１１に、本発明の電源コードを２本備えた画像形成装置を背面から見た斜視図を示す。
【００５３】
以上説明してきたように、図１、図２、図１０において、主電源コードの開閉は、他の電源コードからの電力により開閉を行い、主電源コードに接続された定電圧電源により、サブ電源コードのＡＣ開閉回路の開閉を行なう。また、図７において、主電源コードの開閉は、他の電源コードからの電力により開閉を行い、主電源コードに接続された定電圧電源より電力供給される制御部２６により、サブ電源コードのＡＣ開閉回路の開閉を行なう。
【００５４】
さらに、図１、図２において、除湿ヒーター２８を備え、第１の開閉回路を介して除湿ヒーター２８に電力供給する。さらに、励磁コイルに通電されると開閉回路が開放されるリレー１０を有し、第１の開閉回路１２を介してリレーを接続し、リレーにより除湿ヒーター２８への電力の供給を開閉する。また、電力を供給する回路は、商用電源をＤＣ化した電力とし、第１の開閉回路を制御することにより、図２において商用電源をＤＣ化した電圧によりリレーを閉じる。また、電力を供給する回路は、商用電源の電圧により生成される信号とし、第１の開閉回路を制御することにより、図４においてゼロクロス信号によりトライアックを常時ＯＮする。また、制御部２６は、個々のＡＣ接続確認手段の何れかがＡＣ接続の検出をできないときは、リセット機能付き開閉手段を開放することにより、図３、図５において、自分自身で主電源をＯＦＦする。また、制御部２６は、ゼロクロス信号が検出されないと、一定時間を計測するタイマー手段を有し、タイマー手段によるタイマー時間の計測後に、前記リセット機能付き開閉手段を開放することにより、主電源投入後に即、リセット機能付き開閉手段を開放しても、手でＳＷのＯＮボタンを押している状態の場合もあるので、少し時間が経過後にＯＦＦする。
【００５５】
したがって、以上説明したように本実施の形態によれば、複数の商用電源入力の全てが、商用電源に接続されたことを確認し、画像形成装置に商用電源を供給し、何れかの商用電源入力に商用電源が接続されてない場合には、全ての商用電源からの電力供給を遮断するので、画像形成装置の安全性を向上させた画像形成装置を提供することができる。
【産業上の利用可能性】
【００５６】
以上のように、本発明にかかる画像形成装置は、複写機、プリンタ、これらの機能を含む複合機などに有用であり、特に、複数のＡＣ電源コードまたは複数のＡＣ入力接続部を設けた装置に適している。
【図面の簡単な説明】
【００５７】
【図１】本発明の実施の形態にかかるＡＣ電源コードを２本有した画像形成装置のＡＣ電力制御回路（１）を示す図である。
【図２】本発明の実施の形態にかかるＡＣ電源コードを２本有した画像形成装置のＡＣ電力制御回路（２）を示す図である。
【図３】本発明の実施の形態にかかるＡＣ電源コードを２本有した画像形成装置のＡＣ電力制御回路（３）を示す図である。
【図４】ゼロクロス信号を利用したＡＣ開閉回路例を示す図である。
【図５】自己保持型リセット機能付きスイッチを利用したＡＣ開閉回路例を示す図である。
【図６】本発明の実施の形態にかかるＡＣ電源コードを２本有した画像形成装置のＡＣ電力制御回路（４）を示す図である。
【図７】本発明の実施の形態にかかるＡＣ電源コードを２本有した画像形成装置のＡＣ電力制御回路（５）を示す図である。
【図８】ゼロクロス信号の入力がないとタイマーにより時間が計測され、励磁コイルが通電される回路構成を示す図である。
【図９】ゼロクロス信号発生回路例を示す図である。
【図１０】本発明の実施の形態にかかるＡＣ電源コードを３本有した画像形成装置のＡＣ電力制御回路を示す図である。
【図１１】画像形成装置を背面からみた例を示す斜視図である。
【図１２】図９におけるゼロクロス信号発生回路の出力波形を示す図である。
【図１３】ゼロクロス信号の欠落によりタイマーがカウントする動作を示すタイミングチャートである。
【符号の説明】
【００５８】
１  第１ＡＣ電源コード
２  第２ＡＣ電源コード
３  接続回路
４，５，６  ノイズフィルター
１０  ノーマルクローズリレー
１１  主電源スイッチ
１２，１４  ＡＣ開閉回路
１３  自己保持型リセット機能付きスイッチ
１８  加熱中央ヒーター
１９  加熱端部ヒーター
２２，２３  電力供給回路
２５  定電圧電源
２６  制御部
２７  ＤＣ負荷
２８  除湿ヒーター
３１  ゼロクロス検出回路
【図１】
2008164825.tif 000003
【図２】
2008164825.tif 000004
【図３】
2008164825.tif 000005
【図４】
2008164825.tif 000006
【図５】
2008164825.tif 000007
【図６】
2008164825.tif 000008
【図７】
2008164825.tif 000009
【図８】
2008164825.tif 000010
【図９】
2008164825.tif 000011
【図１０】
2008164825.tif 000012
【図１１】
2008164825.tif 000013
【図１２】
2008164825.tif 000014
【図１３】
2008164825.tif 000015